(57)【要約】【課題】防水パンや水受けパンを使用することなく、浴槽側壁の配管接続口からの漏水を受けて排水することができる浴槽底部保温材及びこの浴槽底部保温材を用いた浴槽の保温構造を提供する。【解決手段】浴槽への装着時に浴槽側壁との間に溝を形成する溝形成部を上端に有し、発泡樹脂からなる保温材本体と、この保温材本体の表面に添設され、少なくとも溝形成部表面を形成する防水層とを備える浴槽底部保温材を、浴槽の底、及び浴槽側壁を貫通して浴槽に接続される配管器具より下方の浴槽側壁を外側から囲繞するように装着し、浴槽側壁側の上端縁で、止水材によって浴槽側壁との間を止水するとともに、浴槽底部保温材の溝形成部の一部を切り欠き、この切欠部に排水経路に繋がる漏水排水管を接続するようにした。【選択図】      図１
2010142392.tif 000002
【特許請求の範囲】
【請求項１】
浴槽の底、及び浴槽側壁を貫通して浴槽に接続される配管器具より下方の浴槽側壁を外側から囲繞するように装着される浴槽底部保温材であって、
浴槽への装着時に浴槽側壁との間に溝を形成する溝形成部を上端に有し、発泡樹脂からなる保温材本体と、この保温材本体の表面に添設され、少なくとも溝形成部表面を形成する防水層とを備えていることを特徴とする浴槽底部保温材。
【請求項２】
請求項１に記載の浴槽底部保温材が、浴槽の底及び浴槽側壁を貫通して浴槽に接続される配管器具より下方の浴槽側壁を外側から囲繞するように装着され、浴槽側壁側の上端縁で、止水材によって浴槽側壁との間が止水されているとともに、浴槽底部保温材の溝形成部の一部が切り欠かれ、この切欠部に排水経路に繋がる漏水排水管が接続されていることを特徴とする浴槽の保温構造。
【請求項３】
漏水排水管が、浴室の排水トラップ内に臨むとともに、漏水排水管の出口に逆止弁を備えている請求項２に記載の浴槽の保温構造。
【請求項４】
保温材本体が発泡スチレン樹脂で形成され、防水層がウレタン樹脂系塗料で形成されている請求項１〜請求項３のいずれかに記載の浴槽底部保温材。
【発明の詳細な説明】
【技術分野】
【０００１】
本発明は、浴槽底部保温材及びこの浴槽底部保温材を用いた浴槽の保温構造に関する。
【背景技術】
【０００２】
浴槽側壁には、追い炊き配管、ジェット噴流装置の噴射口や吸水口などの配管が接続される場合がある。
そして、このような浴槽の配管接続口からの万一の漏水に備えて、浴槽を下方から浴槽パンで受ける構造（例えば、特許文献１）や、配管接続口毎に配管接続口を受けるように水受けパンを浴槽側壁面に取り付け、水受けパンで受けられた漏水をこの水受けパンに接続された排水配管から排水経路に流れるようにした構造（例えば、特許文献２）などによって、漏水があっても建物躯体が濡れることがないようにされている。
【０００３】
しかし、前者の構造では、浴槽全体を防水パンで受けるようになっているが、防水パンは壁・浴漕荷重がかかるため、一般的にはFRPでできており、防水パン及び側面壁部分にコストがかかる。また、洗い場側に設けられたエプロンを空けると、防水パンの上面が洗い場側から見えて見栄えが悪いとともに、防水パン全面でカビなどが発生して衛生面でも問題がある。
【０００４】
一方、後者の構造では、配管接続口ごとに水受けパンを設け、各水受けパン毎に漏水を排水する漏水排水管を接続しなければならない。したがって、４穴噴流の５箇所（吸込×１、 吐出×４）等のジェット噴流装置を取り付けた浴槽などのように配管接続口が多い場合、対応がむつかしいとともに、施工性に問題がある。また、浴槽に接続される配管器具の形状が統一されておらず、水受けパンも各配管器具に合うものを用意しなければならないため、コストがかかるとともに、各水受けパン設置部は保温材を切り取る事になり保温性能に悪影響を及ぼすおそれがある。
【０００５】
【特許文献１】特開2006-125134号公報
【特許文献２】特開2005-121255号公報
【発明の開示】
【発明が解決しようとする課題】
【０００６】
本発明は、上記事情に鑑みて、防水パンや水受けパンを使用することなく、浴槽側壁の配管接続口からの漏水を受けて排水することができる浴槽底部保温材及びこの浴槽底部保温材を用いた浴槽の保温構造を提供することを目的としている。
【課題を解決するための手段】
【０００７】
上記目的を達成するために、本発明にかかる浴槽底部保温材は、浴槽の底、及び浴槽側壁を貫通して浴槽に接続される配管器具より下方の浴槽側壁を外側から囲繞するように装着される浴槽底部保温材であって、浴槽への装着時に浴槽側壁との間に溝を形成する溝形成部を上端に有し、発泡樹脂からなる保温材本体と、この保温材本体の表面に添設され、少なくとも溝形成部表面を形成する防水層とを備えていることを特徴としている。
【０００８】
本発明の浴槽底部保温材の保温材本体の材質は、発泡スチレン樹脂、発泡ウレタン樹脂、発泡ポリエチレン樹脂等、保温性能が高ければ特に限定されないが、製造コストを考慮すると、発泡スチレン樹脂が好ましい。
【０００９】
防水層は、完全な防水性を備えていない発泡樹脂からなる保温材本体の溝形成部表面を覆い漏水が保温材本体内に浸透しないようにできれば、特に限定されないが、浴槽内の湯に含まれる入浴剤や浴槽洗浄用洗剤等に含まれる界面活性剤などの成分に対する耐性を備えている材質で形成されることが好ましい。
防水層を形成する方法としては、特に限定されないが、例えば、防水層となる塗料を保温材本体に塗布する方法、防水層となる樹脂を保温材本体の上端面に沿う断面形状に押出成形し、この押出成形品を保温材本体の上端面に沿わせるように嵌合させる方法などが挙げられ、製造コストや製造作業性を考慮すると塗料を塗布する方法が好ましい。
【００１０】
また、上記塗料としては、洗剤等に含まれる界面活性剤への耐性を備えていることから
ウレタン樹脂系塗料が好ましい。
上記ウレタン樹脂系塗料としては、保温材本体を溶解させることがなければ特に問題がないが、例えば、日本合成化学工業社製エフレタン等の2液混合型のものが挙げられる。
【００１１】
本発明にかかる浴槽の保温構造は、上記本発明の浴槽底部保温材が、浴槽の底及び浴槽側壁を貫通して浴槽に接続される配管器具より下方の浴槽側壁を外側から囲繞するように装着され、浴槽側壁側の上端縁で、止水材によって浴槽側壁との間が止水されているとともに、浴槽底部保温材の溝形成部の一部が切り欠かれ、この切欠部に排水経路に繋がる漏水排水管が接続されていることを特徴としている。
【００１２】
本発明の保温構造において、漏水排水管は、特に限定されないが、浴室の排水トラップ内に臨むとともに、漏水排水管の出口に逆止弁を備えていることが好ましい。
【００１３】
上記止水材としては、特に限定されないが、例えば、シリコーン樹脂系シーリング剤が挙げられる。
また、浴槽は、浴槽底部保温材の上部の側壁の露出部を他の保温材で覆うようにしても構わない。
【発明の効果】
【００１４】
本発明にかかる浴槽底部保温材は、浴槽の底、及び浴槽側壁を貫通して浴槽に接続される配管器具より下方の浴槽側壁を外側から囲繞するように装着される浴槽底部保温材であって、浴槽への装着時に浴槽側壁との間に溝を形成する溝形成部を上端に有し、発泡樹脂からなる保温材本体と、この保温材本体の表面に添設され、少なくとも溝形成部表面を形成する防水層とを備えているので、浴槽の底、及び浴槽側壁を貫通して浴槽に接続される配管器具より下方の浴槽側壁を外側から囲繞するように、浴槽に装着しておくとともに、浴槽側壁側の上端縁を止水材によって止水するようにすれば、配管器具の浴槽との接続口から万一漏水があっても溝形成部によって形成される溝内に受けられる。また、溝形成部が防水層を備えているので、溝内に受けられた漏水が保温材本体に浸透して、保温材本体の下方から漏れるということがない。
【００１５】
そして、溝形成部の一部を切り欠きこの切欠部に排水経路に繋がる漏水排水管を接続すれば、上記溝に受けられた漏水が排水経路に流れ込んで排水されるようになる。
したがって、この浴槽底部保温材を用いて、本発明の保温構造とすれば、防水パンや水受けパンを用いる必要がなく、従来から行われる保温材の施工と合わせて行うことができ、コストダウンが図れるとともに、施工性もよいものとなる。
しかも、配管接続口が浴槽のいずれの位置に設けられていても、漏水排水管は一箇所に設けるだけでよく、漏水排水管の施工性及び施工コストも低減できる。
【００１６】
また、本発明の保温構造において、漏水排水管が、浴室の排水トラップ内に臨むとともに、逆止弁を備えている構成とすれば、十分な排水高低差を確保できてスムーズな排水が可能となるとともに、浴槽からの排水が逆流することもない。
さらに、保温材本体を発泡スチレン樹脂で形成すれば、安価に製造でき、防水層をウレタン樹脂系塗料で形成すれば、浴槽内の洗浄用洗剤や入浴剤中に含まれる界面活性剤等の成分によって防水層が劣化することを防止することができる。
【発明を実施するための最良の形態】
【００１７】
以下に、本発明を、その実施の形態をあらわす図面を参照しつつ詳しく説明する。
図１〜図５は、本発明にかかる浴槽の保温構造の１つの実施の形態をあらわしている。
【００１８】
図１に示すように、この浴槽１の保温構造においては、浴槽１が浴槽底部保温材２と、浴槽側壁保温材３と、によって外壁面が囲繞されている。
浴槽底部保温材２の浴槽側壁１１側の上端縁が止水材４によって止水処理されて浴槽底部保温材２と浴槽１との間に水が入らないようになっている。
【００１９】
すなわち、浴槽底部保温材２は、図１〜図４に示すように、浴槽１の底１２と、この底１２の周囲から立ち上がるように設けられた浴槽側壁１１の下端部を囲繞する皿状をしていて、浴槽１への装着時に浴槽側壁１１との間に溝Ｄを形成する溝形成部２１を全周にわたって有しているとともに、底の浴槽１の排水口を臨む位置に排水口に接続される排水配管５ａの接続用孔２３が穿設されている。
溝形成部２１は、外周側が内周側より高くなっているとともに、中央部が断面略Ｖ字形に深溝２１ａが形成されている。
また、浴槽底部保温材２は、図１に示すように、略浴槽底部保温材２の形状をした保温材本体２aと、溝形成部２１の表面層となる防水層２ｂとを備えている。
保温材本体２aは、ＥＰＳ（ビーズ法発泡スチロール）で形成されている。
【００２０】
防水層２ｂは、浴槽１を洗浄する洗剤中に含まれる界面活性剤によって腐食されない２液型ウレタン塗料を保温材本体２aの溝形成部２１の表面層となる部分に刷毛塗りあるいはスプレー塗布することによって形成されている。
また、図３及び図５に示すように溝形成部２１の洗い場側に配置される部分の中央部が切り欠かれ、この切欠部２２に合成樹脂製ホースなどの可撓管からなる漏水排水管６が接続される配管アダプター７が変性シリコーン樹脂系シーリング剤等を用いて止水状態に接着固定されている。
【００２１】
配管アダプター７は、ポリ塩化ビニル、ポリプロピレン、ポリエチレン等の合成樹脂成形体であって、アダプター本体７１と、配管接続ノズル７２とを備えている。
アダプター本体７１は、上部が開口していて、切欠部２２に嵌り込んだ状態で、浴槽底部保温材２の溝形成部２１に一致するように接合される保温材接合部７１aと、浴槽底部保温材２の側方に突出するとともに、配管接続ノズル７２が側壁面から突設される上部開口の樋状をしたノズル形成部７１ｂとを備えている。
【００２２】
保温材接合部７１aは、幅方向の中央部にノズル形成部７１ｂに向かって傾斜し、ノズル形成部７１ｂに連通する傾斜溝７１ｃが形成されている。
配管接続ノズル７２は、漏水排水管６の一端が接続されている。漏水排水管６の他端は、排水トラップ８に接続されている。
排水トラップ８の漏水排水配管接続部８１には、逆止弁（図示せず）が設けられ、排水トラップ８側の排水が漏水排水管６側に流れ込まないようになっている。
【００２３】
浴槽側壁保温材３は、ＥＰＳで形成されていて、複数の分割体を組み合わせることによって浴槽側壁１１の周囲を囲むとともに、浴槽側壁１１との間に少し隙間が形成されるように配置され、浴槽１の側壁に取り付けられた配管器具９部分が切り欠かれている。
図２〜図４中、Ｐは洗い場パン、５ｂは下水管路につながる主排水管である。
【００２４】
上記浴槽１の保温構造によれば、配管器具９の接続部から漏水があった場合、浴槽側壁１１を伝って落ちる漏水が図１に矢印で示すように、浴槽側壁保温材３と浴槽側壁１１との隙間を通って溝Ｄに受けられる。そして、溝Ｄ上に受けられた漏水は、この溝Ｄの深溝２１ａを伝ってアダプター本体７１の傾斜溝７１ｃ に入り込み、配管接続ノズル７２を介して漏水排水管６を通り、排水トラップ８に流れ込み、主排水管５ｂから排水される。
したがって、防水パンを設けなくても、配管器具９の接続部から漏水が浴槽１の下方に漏れることがない。
【００２５】
また、排水トラップ８の漏水排水配管接続部に逆止弁が設けられているので、浴槽１からの排水が排水トラップ８に一期に流れ込んでも漏水排水管６側に流れ込んで浴槽底部保温材２の上端から溢れるといった事故を防止することができる。
【００２６】
本発明は、上記の実施の形態に限定されない。例えば、上記の実施の形態では、浴槽底部保温材の上方に浴槽側壁保温材を設けていたが、浴槽側壁保温材を無くしても構わない。
【００２７】
以下に、本発明の具体的な実施例を説明する。
【００２８】
（実施例１）
発泡倍率４０倍のＥＰＳ製板材の周面にウレタン樹脂系塗料（日本合成化学工業社製  エフレタンＳＨ−４０００）を塗布し、厚み０．５ｍｍのウレタン樹脂製防水層を備えたサンプル板を得た。
得られたサンプル板を市販の洗剤（商品名バスマジックリン、ルック、パイプマン、ティンクル、カビキラー）、入浴剤（商品名バブゆず、バスクリンゆず、バスロマン  ジャスミン、旅の宿 草津、六一〇ハップ、木酢入浴剤）、熱水にそれぞれ浸漬し、８０時間後の防水層の表面状態を観察したところ、いずれの場合も防水層にひび割れ、欠け、膨れ等の異常がなかった。
なお、洗剤及び液状入浴剤については４０℃原液を用い、粉末の入浴剤については使用濃度の２５０倍濃度に溶解した液を用いた。
【００２９】
（実施例２）
ウレタン樹脂系塗料（日本合成化学工業社製  エフレタンＳＨ−４０００）に代えて、ウレタン樹脂系塗料（日本合成化学工業社製  エフレタンＳＨ−１００）を用いた以外は、実施例１と同様にして得られたサンプル板を市販の洗剤（商品名バスマジックリン、ルック、パイプマン、ティンクル、カビキラー）、入浴剤（商品名バブゆず、バスクリンゆず、バスロマン  ジャスミン、旅の宿 草津、六一〇ハップ、木酢入浴剤）、熱水にそれぞれ浸漬し、８０時間後の防水層の表面状態を観察したところ、いずれの場合も防水層にひび割れ、欠け、膨れ等の異常がなかった。
【００３０】
(実施例３)
ウレタン樹脂系塗料（日本合成化学工業社製  エフレタンＳＨ−４０００）に代えて、カルボキシル変性された合成ゴムラテックス（ＤＩＣ社製  ラックスター７３１０−Ｋ）を用いた以外は、実施例１と同様にして得られたサンプル板を市販の洗剤（商品名バスマジックリン、ルック、パイプマン、ティンクル、カビキラー）、入浴剤（商品名バブゆず、バスクリンゆず、バスロマン  ジャスミン、旅の宿 草津、六一〇ハップ、木酢入浴剤）、熱水にそれぞれ浸漬し、８０時間後の防水層の表面状態を観察したところ、入浴剤及び熱水場合、防水層にひび割れ、欠け、膨れ等の異常がなかったが、洗剤についてはいずれの洗剤においても防水層に若干の破壊がみられた。
【００３１】
(実施例４)
実施例１と同様にして１面のみ防水層が形成されたサンプル板を得たのち、このサンプル板の防水層上にパイプφ５０×Ｌ５００を垂直に立てた状態で接着した。そして、パイプ内に洗剤（商品名バスマジックリン）の原液を充填するとともに、パイプ内をゲージ圧０．０５ｋｇｆ／ｃｍ2の圧力に保ったところ、６０時間経過してもサンプル板のＥＰＳ側への漏水は全く見られなかった。
【図面の簡単な説明】
【００３２】
【図１】本発明にかかる浴槽の保温構造の１つの実施の形態であって、その要部断面図である。
【図２】図１の浴槽の保温構造に用いる浴槽底部保温材の施工状態の側面図である。
【図３】図２のＸ方向矢視図である。
【図４】図２のＹ方向矢視図である。
【図５】図２のＺ部を拡大してあらわす斜視図である。
【符号の説明】
【００３３】
１  浴槽
１１  浴槽側壁
１２  底
２  浴槽底部保温材
２ａ  保温材本体
２ｂ  防水層
２１  溝形成部
２２  切欠部
８  排水トラップ
９  配管器具
Ｄ  溝
【図１】
2010142392.tif 000003
【図２】
2010142392.tif 000004
【図３】
2010142392.tif 000005
【図４】
2010142392.tif 000006
【図５】
2010142392.tif 000007